(57)【要約】      【課題】  光学ズーム領域および電子ズーム領域にかかわらず、メモリズーム機能を有効に用いることができる撮影システムの制御装置を提供する。      【解決手段】  光学ズーム領域と電子ズーム領域とを有する撮影システムの制御装置であって、記憶手段１１７に記憶されたズーム状態へのズーム動作であるメモリズーム動作を撮影システムに行わせるズーム制御手段１１２を有する。該ズーム制御手段は、光学ズーム領域および電子ズーム領域のうち一方のズーム領域にある第１のズーム状態から、他方のズーム領域にあって上記記憶手段に記憶された第２のズーム状態へのメモリズーム動作を行わせる。    【選択図】  図１
2006050019.tif 000002
【特許請求の範囲】
【請求項１】
光学ズーム領域と電子ズーム領域とを有する撮影システムの制御装置であって、
記憶手段に記憶されたズーム状態へのズーム動作であるメモリズーム動作を前記撮影システムに行わせるズーム制御手段を有し、
前記ズーム制御手段は、前記光学ズーム領域および前記電子ズーム領域のうち一方のズーム領域にある第１のズーム状態から、他方のズーム領域にあって前記記憶手段に記憶された第２のズーム状態への前記メモリズーム動作を行わせることを特徴とする撮影システムの制御装置。
【請求項２】
前記ズーム制御手段は、前記第１のズーム状態を前記記憶手段に記憶させ、該第１のズーム状態から前記第２のズーム状態への前記メモリズーム動作の後又はその途中から、前記第１のズーム状態への前記メモリズーム動作を行わせることを特徴とする請求項１に記載の撮影システムの制御装置。
【請求項３】
前記撮影システムは、前記光学ズーム領域と前記電子ズーム領域とがオーバーラップしたオーバーラップズーム領域を有しており、
前記ズーム制御手段は、前記第１のズーム状態から、前記オーバーラップズーム領域にあって前記記憶手段に記憶された第３のズーム状態への前記メモリズーム動作を行わせることを特徴とする請求項１に記載の撮影システムの制御装置。
【請求項４】
前記ズーム制御手段は、前記第１のズーム状態を前記記憶手段に記憶させ、該第１のズーム状態から前記第３のズーム状態への前記メモリズーム動作の後又はその途中から、前記第１のズーム状態への前記メモリズーム動作を行わせることを特徴とする請求項３に記載の撮影システムの制御装置。
【請求項５】
前記ズーム制御手段は、ズーム状態が前記光学ズーム領域と前記電子ズーム領域のうちいずれの領域にあるかを判別し、該判別結果に応じた該ズーム状態の前記記憶手段への記憶処理を行うことを特徴とする請求項１から４のいずれか１つに記載の撮影システムの制御装置。
【請求項６】
前記ズーム制御手段は、前記メモリズーム動作を変倍率が略一定となるように制御することを特徴とする請求項１から５のいずかれ１つに記載の撮影システムの制御装置。
【請求項７】
前記ズーム制御手段は、前記メモリズーム動作を、ズーム速度が略一定となるように制御することを特徴とする請求項１から５のいずれか１つに記載の撮影システムの制御装置。
【請求項８】
前記ズーム制御手段は、前記第２のズーム状態が前記電子ズーム領域にあり、かつ前記電子ズーム領域でのズーム動作が禁止された場合は、該第２のズーム状態を前記光学ズーム領域における所定のズーム状態に変更することを特徴とする請求項１から７のいずれか１つに記載の撮影システムの制御装置。
【請求項９】
前記光学ズーム領域および前記電子ズーム領域でズーム状態を選択するための第１の操作手段と、
前記メモリズーム動作を前記ズーム制御手段に行わせるための第２の操作手段とを有することを特徴とする請求項１から８のいずれか１つに記載の撮影システムの制御装置。
【請求項１０】
請求項１から８のいずれか１つに記載の制御装置と、
光学ズームが可能な撮影光学系と、
該撮影光学系により形成された被写体像を光電変換する撮像素子と、
該撮像素子を用いて得られた画像に基づく電子ズームを行う電子ズーム手段とを有することを特徴とする撮像システム。
【請求項１１】
請求項１から８のいずれか１つに記載の制御装置と、
光学ズームが可能な撮影光学系とを有し、
前記制御装置からの電子ズーム命令に応じて電子ズームを行う撮像装置に装着可能であることを特徴とするレンズ装置。
【請求項１２】
請求項１から８のいずれか１つに記載の制御装置と、
該撮影光学系により形成された被写体像を光電変換する撮像素子と、
該撮像素子を用いて得られた画像に基づく電子ズームを行う電子ズーム手段とを有し、
前記制御装置からの光学ズーム命令に応じて前記撮影光学系の光学ズーム動作を行うレンズ装置の装着が可能であることを特徴とする撮像装置。
【発明の詳細な説明】
【技術分野】
【０００１】
本発明は、レンズ装置や撮像装置により構成される撮影システムに関し、特にビデオカメラ，スチルカメラ，監視カメラ等の撮影システムにおけるズーム動作を制御する制御装置に関するものである。
【背景技術】
【０００２】
撮影システムは、レンズを移動させて撮影画角を変化させる光学ズーム機能を有する場合が多い。また、撮影された画像データを電子的に拡大および縮小する電子ズーム機能を有する場合もある。さらに、光学ズームと電子ズームの両方を用いて、光学ズームのみで得られるズーム倍率よりもみかけ上大きなズーム倍率を得る撮影システムも提案されている。なお、特許文献１には、交換レンズ式の撮影システムにおいて、光学ズームと電子ズームとをスムーズに移行させてズーミングを行う技術が提案されている。
【０００３】
一方、業務用撮影システムでは、いわゆるプリセットズーム機能が搭載されたものがある（特許文献２参照）。このプリセットズーム機能は、予め光学的なズーム位置をメモリに記憶しておき、任意の光学ズーム位置にてプリセットズームスイッチが操作されることに応じて、該記憶された光学ズーム位置へのズーム動作を実行する機能である。このプリセットズーム機能は、一定速度で決められたズーム位置まで何回もズーム動作させたい場合等に便利な機能である。
【０００４】
また、特許文献３には、いわゆるシャトルショットズーム機能を有する撮影システムが開示されている。このシャトルショットズーム機能は、プリセットズーム機能を拡張した機能であり、任意の光学ズーム位置にて上記プリセットズームスイッチが操作された際に、該任意の光学ズーム位置（元のズーム位置）をメモリに記憶しておき、プリセットされたズーム位置へのプリセットズーム動作が終了することに応じて又は該プリセットズーム動作中にプリセットズームスイッチの操作が中断されることに応じて、ズーム方向を反転させ、元のズーム位置にズーム動作させる機能である。この機能は、例えばＴｅｌｅ端を予めメモリしておき、カメラマンが任意のズーム位置で構図を決めた後にピント確認をしたいときに一旦Ｔｅｌｅ端までズームしてピント確認を行い、その後元のズーム状態に戻して撮影を開始する場合や、任意の２つのズーム位置で交互に撮影を行う場合などに便利な機能である。
【特許文献１】特開平９−２４３８９９号公報（段落００４２〜００４６、図８等）
【特許文献２】特許第３３８７８８９号公報（段落００２７〜００３０、図１，２等）
【特許文献３】特許第３３７２９１２号公報（段落００３６、図１等）
【発明の開示】
【発明が解決しようとする課題】
【０００５】
しかしながら、上述したプリセットズーム機能やシャトルショットズーム機能（以下、これらをまとめてメモリズーム機能といい、その動作をメモリズーム動作という）は、光学ズームに関する機能であり、電子ズームまで考慮されたものではない。光学ズームと電子ズームとで大きなズーム倍率が得られるようにした撮影システムにおいて、上記メモリズーム機能を光学ズーム領域でしか用いることができないのでは、撮影が制限され、不便である。
【０００６】
本発明は、光学ズーム領域および電子ズーム領域にかかわらず、メモリズーム機能を有効に用いることができるようにした撮影システムの制御装置を提供することを目的としている。
【課題を解決するための手段】
【０００７】
上記の目的を達成するために、本発明は、光学ズーム領域と電子ズーム領域とを有する撮影システムの制御装置であって、記憶手段に記憶されたズーム状態へのズーム動作であるメモリズーム動作を撮影システムに行わせるズーム制御手段を有する。そして、該ズーム制御手段は、光学ズーム領域および電子ズーム領域のうち一方のズーム領域にある第１のズーム状態から、他方のズーム領域にあって上記記憶手段に記憶された第２のズーム状態へのメモリズーム動作を行わせる。
【０００８】
なお、メモリズーム動作とは、プリセットズーム動作やシャトルショットズーム動作等を含む。
【発明の効果】
【０００９】
本発明によれば、メモリズーム動作の開始位置および停止位置（メモリされた位置）がそれぞれ光学ズーム領域であるか電子ズーム領域であるかにかかわらず、言い換えれば、カメラマンが光学ズームと電子ズームを意識せずに、メモリズーム機能を活用することができる。
【発明を実施するための最良の形態】
【００１０】
以下、本発明の実施例について図面を参照しながら説明する。
【実施例１】
【００１１】
以下、本発明の実施例について図面を参照しながら説明する。図１には、本発明の実施例１である撮影システムの構成を示している。本実施例１では、レンズ一体型ビデオカメラにおけるプリセットズーム機能について説明する。
【００１２】
この撮影システムは、いわゆるリアフォーカス式の撮影光学系を有する。撮影光学系に入射した被写体ＯＢＪからの光は、固定の第１レンズ１０２、変倍を行う第２レンズ（バリエータレンズ）１０３、光量調節を行うアイリス１０４、固定の第３レンズ１０５およびフォーカシングを行う第４レンズ（フォーカスレンズ）１０６を通り、ＣＣＤセンサやＣＭＯＳセンサ等の撮像素子１０７上に結像する。
【００１３】
撮像素子１０７による光電変換動作によって生成された電気信号は、カメラ信号処理手段１０８に送られ、信号増幅などの信号処理を受けてアナログ映像信号となり、さらにＡ／Ｄ変換器１０９によってデジタル映像信号に変換される。デジタル映像信号はメモリ１１０へ送られる。メモリ１１０は、一時的に映像信号を保存する。
【００１４】
ここで、電子ズーム回路１１１は、マイクロコンピュータ（以下マイコンと略す）１１２からのズーム倍率信号に基づいて、メモリ１１０に保存したデジタル映像信号のズーム処理を行う。電子ズーム回路１１１は、１以上の倍率を得るために、メモリ１１０上の画像信号を間引いて、その間の画像信号を様々な方法によって補間することによってズーム処理を行う。
【００１５】
このようなズーム処理を、時間的にスムーズに変倍率を変化させて行うことで、ズームアップ又はズームダウンした動画像を得ることができる。
【００１６】
電子ズーム回路１１１で適切な倍率の映像に処理されたメモリ１１０上の映像信号は、その後、色補正、フォワイトバランスなどの処理が行われ、記録媒体（半導体メモリ、光ディスク、磁気テープ等）やパーソナルコンピュータ、テレビモニタ等の外部装置に出力される。
【００１７】
マイコン１１２は、ズーム量（変倍率）を変更するために操作されるズーム操作部１１８から出力されたズーム命令信号を読み取る。
【００１８】
ここで、マイコン１１２が光学ズーム制御を行う場合について説明する。本実施例のようなリアフォーカス式の光学系では、ズームを行うためにバリエータレンズ１０３を移動させただけでは、ピントがずれてしまう。これは図４に示すように、合焦を維持するためのバリエータレンズ１０３（ズームレンズ）の位置とフォーカスレンズ１０６の位置との関係が、被写体距離に応じて複雑に変化するためである。このため、マイコン１１２は、ズームレンズ位置検知器１１３とフォーカスレンズ位置検出器１１４とによってバリエータレンズ１０３とフォーカスレンズ１０６の位置を検知して、ズーム命令がズーム操作部１１８から出力されたときに図４に示すようなレンズ位置関係になるように、ズームレンズ１０３とフォーカスレンズ１０６をそれぞれズームレンズ駆動部１１５とフォーカスレンズ駆動部１１６を介して移動させる。
【００１９】
また、本ビデオカメラには、ズーム補助機能としてのメモリズーム機能の１つであるプリセットズーム機能の専用操作部材として、プリセットズーム操作部１１７が設けられている。プリセットズーム操作部１１７は、図２に示すように、現在のズーム位置をプリセット位置として記憶するためのズーム位置メモリ２０１と、該ズーム位置メモリ２０１に記憶されたズーム位置へのズーム動作であるメモリズーム動作の１つであるプリセットズーム動作を実行するためのプリセット実行スイッチ２０２と、該プリセットズーム動作におけるズーム速度（画角の変化速度、つまりはズーム倍率の時間に対する変化率）をユーザが選択するための速度選択ボリュウム２０３を有する。プリセット実行スイッチ２０２および速度選択ボリュウム２０３は電気部品であり、マイコン１１２はこれらからの出力信号を検知する。
【００２０】
これまで説明したように、本実施例のビデオカメラは、バリエータレンズ１０３およびフォーカスレンズ１０６を連動させて移動させることによる光学ズームと、映像信号に対する画像処理によってズームを行う電子ズームとを行うことができる。より具体的には、低倍率域でのズームを光学ズームにより行い、光学ズームによる変倍動作が限界（ｔｅｌｅ端）になった後、より望遠側に電子ズームによるズームを行う。つまり、図５の５０１に示すように、低倍率（Ｗｉｄｅ）側のズームを光学ズームで行い、光学ズームの最大倍率までは電子ズームよるズーム動作を行わず、光学ズームの最大倍率を超えるＴｅｌｅ側へのズーム操作が行われたときに電子ズームによるズーム動作を行う。
【００２１】
なお、図５では、電子ズームの倍率が１のズーム位置を電子Ｗｉｄｅ端、電子ズームの高倍率側の限界位置を電子Ｔｅｌｅ端と表現している。電子ズームの場合は、画像処理によりいくらでも限界値を変えることができるが、ここでは画質劣化が許容範囲にとどまる限界の倍率を電子Ｔｅｌｅ端として定めている。また、光学ズームにより得られる変倍領域を光学ズーム領域といい、電子ズームにより得られる変倍領域を電子ズーム領域という。
【００２２】
また、本実施例では、光学ズーム領域と電子ズーム領域とがオーバーラップせず、ズーム位置はどちらか一方にのみ属する構成としている。但し、光学ズーム領域と電子ズーム領域間での移行を滑らに行う（両ズーム領域の継ぎ目が目立たないようにする）ために、光学ズーム領域と電子ズーム領域とがオーバーラップする領域を設けてもよい（特許文献１参照）
次に、マイコン１１２におけるプリセットズーム動作の制御について説明する。プリセットズーム動作（機能）は、所望のズーム位置にある状態でプリセット実行スイッチ２０２が操作されると、該ズーム位置をズーム位置メモリ２０１に記憶させ、その後、任意のズーム位置にある状態でプリセット実行スイッチ２０２が操作されることに応じて、先にズーム位置メモリ２０１に記憶されたズーム位置に向かってズーム動作させるものである。
【００２３】
このプリセットズーム動作のためのズーム位置の記憶処理（プリセット処理Ｓ９００）を示すフローチャートを図９に示す。図９において、まずステップ（以下、Ｓと略す）９０１では、マイコン１１２は、ズーム位置メモリ２０１のズーム位置を記憶させる操作（プリセット実行スイッチ２０２の操作）があったか否かを判断する。該操作があった場合はＳ９０２にて、現在、電子ズーム使用フラグが立っているか否かを確認する。電子ズーム使用フラグが立っているとき（ＴＲＵＥ）は、現在のズーム位置が電子ズーム領域であることを示し、電子ズーム使用フラグが立っていないとき（ＦＡＬＳＥ）は、現在のズーム位置が光学ズーム領域であることを示す。
【００２４】
電子ズーム使用フラグが立っていないときはＳ９０３へ進み、マイコン１１２は、ズームレンズ位置検出器１１５により得られたズームレンズ位置の情報をズーム位置メモリ２０１に記憶させる。また、電子ズーム使用フラグが立っているときはＳ９０４に進み、電子ズーム回路１１１に送っている電子ズーム倍率を読み込み、ズーム位置メモリ２０１に記憶させる。この一連の記憶処理（Ｓ９００）は、一定時間ごとに実行され、ズーム位置メモリ２０１に記憶されているズーム位置は逐次更新される。
【００２５】
ここで、上記説明では、ズーム位置をズーム位置メモリ２０１に記憶させる場合について説明したが、記憶するズーム状態の表現形式はどのようなものであってもよい。例えば、光学ズーム状態として実際のズームレンズ位置のエンコーダ値であってもよいし、エンコーダ値から計算された撮影光学系の焦点距離であってもよい。また、該表現形式を、リアフォーカス方式とフロントフォーカス方式とで異ならせてもよい。また、電子ズーム領域でのズーム状態として、マイコン１１２が電子ズーム回路１１１に送る電子ズーム倍率や、撮像素子の有効撮像領域に対する出力画像範囲の比率（小さいほど拡大率が大きい）や、走査線の間引き量等で表現されたものであってもよい。
【００２６】
さらに、光学的な焦点距離と電子ズーム倍率とを掛けて算出される合成ズーム倍率に対応した焦点距離をズーム状態として表現してもよい。これは例えば、上述した光学ズーム領域と電子ズーム領域がオーバーラップする領域を有するズームシステムの場合に有効である。これについては後述する。
【００２７】
次に、プリセットされたズーム位置（以下、プリセット位置ともいう）へのズーム動作処理（Ｓ３００）について図３のフローチャートを用いて説明する。
【００２８】
まず、Ｓ３０１では、マイコン１１２は、後述するプリセット実行フラグによりプリセットズーム動作の実行中か否かを判断し、すでに実行中であればＳ３０４に進む。実行中でなければＳ３０２へ進み、プリセット実行スイッチ２０２が操作されたか否かを判断する。
【００２９】
プリセット実行スイッチ２０２が操作されていない場合は、該処理（Ｓ３００）を終了し、一定時間後に再び該処理Ｓ３００を開始する。
【００３０】
Ｓ３０２でプリセットズーム実行中と判断した場合は、プリセット実行フラグをＴＲＵＥに変更して現在プリセットズーム動作が実行中であることを示し、次のＳ３０４の処理へ移る。
【００３１】
Ｓ３０４では、マイコン１１２は、ズーム操作部１１８においてズーム操作がされているか否かを判断する。ズーム操作がされている場合は、プリセットズーム動作よりもユーザによるズーム操作を優先するために、Ｓ３０５でプリセット実行フラグをＦＡＬＳＥにし、該処理（Ｓ３００）を終了する。
【００３２】
Ｓ３０４にてズーム操作がなかった場合は、Ｓ３０６に進み、電子ズーム使用フラグにより現在のズーム位置が電子ズーム領域であるか否かを判断する。電子ズーム領域であればＳ３１４に移る。一方、電子ズーム領域でない（光学ズーム領域である）場合は、Ｓ３０７へ移る。
【００３３】
Ｓ３０７では、プリセット位置が光学ズーム領域か否かを判断する。プリセット位置が電子ズーム領域内である場合はＳ３１１へ進む。一方、光学ズーム領域である場合は、Ｓ３０８へ進み、プリセット位置と現在のズーム位置とを比較し、プリセット位置の方がよりＴｅｌｅ側であれば、ズームレンズ駆動部１１５およびフォーカスレンズ駆動部１１５を連動させてＴｅｌｅ側への光学ズームを行わせる。また、プリセット位置の方がよりＷｉｄｅ側であれば、同様にしてＷｉｄｅ側への光学ズームを行わせる。このとき、速度選択ボリュウム２０３により設定された略一定のズーム速度（つまりは一定の変倍率）でズーム動作を行わせる。また、速度選択ボリュウム２０３が設けられていない場合には、所定のズーム速度でズーム動作を行わせてもよい。
【００３４】
Ｓ３０９では、プリセット位置と現在の光学ズーム位置とを比較し、同じ値になっていればＳ３１０にてプリセット実行フラグをＦＡＬＳＥにし、ズーム動作を停止させて該処理（Ｓ３００）を終了する。
【００３５】
一方、Ｓ３１１では、Ｔｅｌｅ側への光学ズーム動作を行わせ、Ｓ３１２にて光学ズーム位置が光学Ｔｅｌｅ端（光学ズームの限界位置）に達したか否かを判断する。光学Ｔｅｌｅ端に達しない場合は、一旦本処理（Ｓ３００）を終了し、次の処理（Ｓ３００）の開始時間まで待つ。光学Ｔｅｌｅ端に達した場合は、Ｓ３１３に進み、電子ズーム使用フラグをＴＲＵＥに変更して、Ｓ３１８での電子ズーム動作へと移行する。
【００３６】
Ｓ３１４では、プリセット位置が電子ズーム領域か否かを判断する。電子ズーム領域であれば、Ｓ３１８に進み、電子ズーム領域でなければＳ３１５に進む。Ｓ３１８では、プリセット位置の方向に、速度選択ボリュウム２０３で設定されたズーム速度で電子ズームを行う。そして、Ｓ３１９にて、プリセット位置と現在のズーム位置（電子ズーム位置）とが同じになったか否かを判別し、同じである場合にはＳ３２０にて、電子ズーム動作を停止させ。プリセット実行フラグをＦＡＬＳＥにし、該処理（Ｓ３００）を終了する。
【００３７】
一方、Ｓ３１５では、Ｗｉｄｅ側への電子ズームを速度選択ボリュウム２０３で設定されたズーム速度で行わせる。そして、Ｓ３１６にて、電子ズーム位置が電子Ｗｉｄｅ端に到達したか否かを判断し、達していない場合は、次回のルーチンでＳ３１６を再度実行し、電子Ｗｉｄｅ端に到達するまでＷｉｄｅ側への電子ズームを行う。
【００３８】
また、電子ズーム位置が電子Ｗｉｄｅ端に到達した場合は、Ｓ３１７に進んで電子ズーム使用フラグをＦＡＬＳＥにし、電子ズーム動作を停止させ、Ｓ３０８に移ってプリセット位置までＷｉｄｅ側への光学ズームを行う。
【００３９】
以上説明した処理（Ｓ３００）を一定間隔で繰り返すことにより、電子ズームと光学ズームにまたがる、すなわち光学ズーム領域と電子ズーム領域のうち一方の領域の現在ズーム位置から、他方の領域のプリセット位置までのプリセットズーム動作が可能となる。
【００４０】
例えば、図５に５０１で示すように、現在のズーム位置がひし形で示されるように光学ズーム領域にあり、プリセット位置が丸印で示されるように電子ズーム領域にある場合、プリセット実行スイッチ２０２が操作されると、図３において、Ｓ３０２→Ｓ３０３→Ｓ３０４→Ｓ３０６→Ｓ３０７→Ｓ３１１→Ｓ３１２→ＥＮＤと辿る。この場合、光学ズーム領域では、Ｓ３０１→Ｓ３０４→Ｓ３０６→Ｓ３０７→Ｓ３１１→Ｓ３１２→ＥＮＤを繰り返して光学ズーム動作を行い、光学ズーム領域から電子ズーム領域に切り換わるときには、Ｓ３０１→Ｓ３０４→Ｓ３０６→Ｓ３０７→Ｓ３１１→Ｓ３１２→Ｓ３１３→Ｓ３１８→Ｓ３１９→ＥＮＤと辿る。この切り換わりに際して、マイコン１１２は、みかけ上のズーム速度が速度選択ボリュウム２０３で設定されたズーム速度に維持されるように光学ズーム速度と電子ズーム速度を制御する。これにより、ズーム領域が切り換わる際にカメラマンが違和感を覚えないようにしている。このことは、後述する他の実施例でも同様である。
【００４１】
また、電子ズーム領域に移行した後は、Ｓ３０１→Ｓ３０４→Ｓ３０６→Ｓ３１４→Ｓ３１８→Ｓ３１９→ＥＮＤを繰り返し、最終的にＳ３０１→Ｓ３０４→Ｓ３０６→Ｓ３１４→Ｓ３１８→Ｓ３１９→Ｓ３２０→ＥＮＤと辿ってプリセットズーム動作を終了する。
【００４２】
このプリセットズーム動作における光学ズーム位置と電子ズーム位置の変化は、図５に５０２，５０３で示すとおりである。
【００４３】
また、図６に６０１で示すように、現在のズーム位置がひし形で示されるように電子ズーム領域にあり、プリセット位置が丸印で示すように光学ズーム領域にある場合、プリセット実行スイッチ２０２が操作されると、図３において、Ｓ３０２→Ｓ３０３→Ｓ３０４→Ｓ３０６→Ｓ３１４→Ｓ３１５→Ｓ３１６→ＥＮＤと辿る。この場合、電子ズーム領域では、Ｓ３０１→Ｓ３０３→Ｓ３０４→Ｓ３０６→Ｓ３１４→Ｓ３１５→Ｓ３１６→ＥＮＤを繰り返し、電子ズーム領域から光学ズーム領域に切り換わるときには、Ｓ３０１→Ｓ３０３→Ｓ３０４→Ｓ３０６→Ｓ３１４→Ｓ３１５→Ｓ３１６→Ｓ３１７→Ｓ３１８→Ｓ３０９→ＥＮＤと辿る。この切り換わりに際して、マイコン１１２は、みかけ上のズーム速度が速度選択ボリュウム２０３で設定されたズーム速度に維持されるように電子ズーム速度と光学ズーム速度を制御する。このことは、後述する他の実施例でも同様である。
【００４４】
そして、光学ズーム領域に移行した後は、Ｓ３０１→Ｓ３０３→Ｓ３０４→Ｓ３０６→Ｓ３０７→Ｓ３０８→Ｓ３０９→ＥＮＤを繰り返し、最終的にＳ３０１→Ｓ３０３→Ｓ３０４→Ｓ３０６→Ｓ３０７→Ｓ３０８→Ｓ３０９→Ｓ３１０→ＥＮＤと辿ってプリセットズーム動作を終了する。
【００４５】
このプリセットズーム動作における光学ズーム位置と電子ズーム位置の変化は、図６に６０２，６０３で示すとおりである。
【００４６】
以上のような制御により、光学ズーム領域と電子ズーム領域にまたがるようなプリセットズーム動作を行うことができる。
【００４７】
ここで、図１において、電子ズーム機能を無効にできるスイッチ（不図示）を追加した場合のマイコン１１２での処理（Ｓ８００）を図８を用いて説明する。
【００４８】
まず、Ｓ８０１で、マイコン１１２は、電子ズームを無効にするスイッチ操作があったか否かを判断し、該スイッチ操作があった場合は、Ｓ８０２に進み、現在プリセットズーム動作を実行中か否かを判断する。実行中の場合は、電子ズームの無効操作自体を無効とする。また、プリセットズーム動作が実行中でなかった場合は、Ｓ８０３に進み、電子ズーム使用フラグにより現在のズーム位置が電子ズーム領域か否かを判断する。電子ズーム領域である場合は、Ｓ８０４で、ただちに電子ズーム位置を電子Ｗｉｄｅ端に変更する。ここでは、電子ズームによるズーム動作を行わせるのではなく、電子ズームをオフにして電子ズーム倍率を１とする。
【００４９】
そして、Ｓ８０５に進み、プリセット位置が電子ズーム領域であるか否かを判断する。電子ズーム領域であれば、Ｓ８０６に進みもプリセット位置を光学Ｔｅｌｅ端へと変更する。つまり、ズーム位置メモリ２０１に記憶されたズーム位置を光学Ｔｅｌｅ端に書き換える。これにより、電子ズームが禁止された場合において、プリセット位置が電子ズーム領域にあると、ズーム状態は光学Ｔｅｌｅ端（電子Ｗｉｄｅ端）に変更される。
【００５０】
例えば、図７に７０１で示すように、現在のズーム位置（ひし形で示す）とプリセット位置とがともに電子ズーム領域にあった場合において、電子ズームの無効操作がされたときには、図８においてＳ８０１→Ｓ８０２→Ｓ８０３→Ｓ８０４→Ｓ８０５→Ｓ８０６と辿り、図７に７０２で示すように状態になる。このときの電子ズーム位置と光学ズーム位置との時間変化を７０３，７０４により示す。
【００５１】
なお、この電子ズーム無効処理は、後述する他の実施例でも同様に採用することができる。
【実施例２】
【００５２】
次に、本発明の実施例２として、光学ズーム領域と電子ズーム領域にまたがるシャトルショットズーム動作が可能なレンズ一体型ビデオカメラについて説明する。シャトルショットズーム動作（機能）とは、ズーム補助機能としてのメモリズーム機能の１つであり、プリセットズーム動作と同様に、予め記憶されたプリセット位置へのズーム動作を行うが、そのときのズーム動作の開始位置（元のズーム位置）を記憶し、上記プリセット位置へのズーム動作の終了後又はその途中でズーム動作方向を反転して元のズーム位置に復帰するものである。
【００５３】
このため、実施例１にて説明したプリセットズーム動作に比べて、記憶するズーム位置が１つ追加されるとともに、プリセット位置へのズーム動作を開始させる操作と、元のズーム位置への復帰動作を開始させる操作（又はプリセット位置へのズーム動作をキャンセルする操作）の２つの操作が必要となる。本実施例では、上記２つの操作を、１つの操作部材（シャトルショット実行スイッチ）のオン操作と該オン操作の解除操作（オフ操作）に対応させている。これ以外の構成は実施例１と同じであり、共通する構成について説明を省略する。
【００５４】
図１０に、シャトルショット実行スイッチ１００２を含む本実施例のシャトルショットズーム操作部１１７’の構成を示している。シャトルショットズ位置メモリ１００１は、プリセット位置と元のズーム位置（以下、キャンセル位置という）とを記憶する。シャトルショット実行スイッチ１００２は、押し込み式スイッチにより構成されており、押し込まれている間にプリセット位置へのズーム動作（以下、往路プリセットズーム動作という）を実行させる。そして、該押し込みを解除するとキャンセル位置へのズーム動作（以下、キャンセルズーム動作という）を実行させる。速度選択ボリュウム１００３は、実施例１と同様に、ユーザがシャトルショットズーム動作中のズーム速度を選択するために用いられる。
【００５５】
次に、本実施例におけるシャトルショットズーム動作の制御について説明する。図１１には、該制御を行うマイコン１１２の動作フローチャートを示している。
【００５６】
まず、Ｓ１１０１では、マイコン１１２は、後述するシャトルショット実行フラグによってシャトルショットズーム動作の実行中か否かを判断し、すでに実行中であればＳ１１０４に進む。実行中でなければＳ１１０２へ進み、シャトルショット実行スイッチ１００３が操作（オン操作）されたか否かを判断する。操作されていない場合は、Ｓ１１２２で、キャンセルフラグがＴＲＵＥか否かを判断し、ＴＲＵＥの場合は、後述するＳ１１２３のキャンセルズーム動作のサブルーチンへと移る。ＴＲＵＥでない場合は、シャトルショット実行ルーチンであるＳ１１００を終了し、一定時間後に再びＳ１１００の処理を開始する。
【００５７】
Ｓ１１０２でシャトルショットズーム動作の実行中と判断した場合は、サブルーチンＳ１１０３へ移行する。Ｓ１１０３は、シャトルショット開始時のイニシャルライズ処理であり、図１３にその処理内容を示す。
【００５８】
まず、Ｓ１３０１では、シャトルショット実行フラグをＴＲＵＥに変更し、現在シャトルショットズーム動作の実行中であることを示す。また、シャトルショット実行スイッチ１００２がオン状態からオフ状態に変化したとき（以下、キャンセルされたときという）にキャンセルズーム動作を行えるように、キャンセルフラグをＴＲＵＥにしておく。
【００５９】
そして、次のＳ１３０２において、実施例１でも説明した電子ズーム使用フラグにより電子ズームの使用中か否かを判断し、電子ズーム使用中の場合はＳ１３０４にて、キャンセルされたときの目標ズーム位置であるキャンセル位置として、現在の電子ズーム位置をシャトルショット位置メモリ１００１に記憶させる。また、電子ズームを使用していない場合は、現在の光学位置をキャンセル位置としてシャトルショット位置メモリ１００１に記憶させる。そして、該イニシャライズ処理（Ｓ１１０３）を終了し、図１１のＳ１１０４へ移る。
【００６０】
Ｓ１１０４では、ズーム操作部１１８でのズーム操作が行われているか否かを判断する。該ズーム操作が行われている場合は、シャトルショットズーム動作よりもユーザによるズーム操作を優先するために、Ｓ１１０５に進み、シャトルショット実行フラグをＦＡＬＳＥにし、かつキャンセルフラグもＦＡＬＳＥにする。そして、該処理（Ｓ１１００）を終了する。
【００６１】
また、Ｓ１１０４にてズーム操作がないと判断したときは、Ｓ１１０６に進み、電子ズーム使用フラグにより現在のズーム位置が電子ズーム領域であるか否かを判断する。電子ズーム領域である場合は、Ｓ１１１４に移る。電子ズーム領域ではなく、光学ズーム領域である場合は、Ｓ１１０７へ移る。
【００６２】
Ｓ１１０７では、シャトルショット位置メモリ１００１に記憶されたプリセット位置が電子ズーム領域であるか否かを判断し、電子ズーム領域の場合はＳ１１１１へ進む。一方、プリセット位置が光学ズーム領域であった場合はＳ１１０８へ進み、該プリセット位置と現在のズーム位置とを比較し、プリセット位置の方がＴｅｌｅ側にあれば、ズームレンズ駆動部１１５およびフォーカスレンズ駆動部１１５を連動させてＴｅｌｅ側にズーム動作させる。また、プリセット位置の方がＷｉｄｅ側にあれば、同様にしてＷｉｄｅ側に光学ズーム動作させる。このとき、速度選択ボリュウム１００３で設定されたズーム速度でズーム動作させる。
【００６３】
次に、Ｓ１１０９では、プリセット位置と現在の光学ズーム位置とを比較し、同じ値になっていればＳ１１１０にてシャトルショット実行フラグをＦＡＬＳＥにするとともに、ズーム動作を停止させ、往路プリセットズーム動作を完了する。
【００６４】
Ｓ１１１１では、Ｔｅｌｅ方向に光学ズーム動作させ、Ｓ１１１２にて光学Ｔｅｌｅ端（光学ズームの限界位置）と現在のズーム位置とが同じかどうかを判断し、異なる場合は一旦該処理（Ｓ１１００）を終了する。  光学Ｔｅｌｅ端と現在のズーム位置とが同じ場合は、Ｓ１１１３に進み、電子ズーム使用フラグをＴＲＵＥに変更して電子ズーム動作へと移行する。
【００６５】
また、Ｓ１１１４では、プリセット位置が電子ズーム領域か否かを判断する。電子ズーム領域である場合には、Ｓ１１１８に進み、電子ズーム領域でない場合（光学ズーム領域である場合）は、Ｓ１１１５に進む。
【００６６】
Ｓ１１１８では、プリセット位置の方向へ速度選択ボリュウム１００３で設定されたズーム速度で電子ズーム動作を行わせる。次にＳ１１１９では、プリセット位置と現在のズーム位置とが同じか否かを判断し、同じになった場合は、Ｓ１１２０にて電子ズーム動作を停止し、シャトルショット実行フラグをＦＡＬＳＥにする。また、キャンセルフラグをＴＲＵＥにする。これにより、シャトルショットズーム動作におけるプリセットズーム動作を完了する。
【００６７】
Ｓ１１１５では、速度選択ボリュウム１００３で設定された略一定のズーム速度で、Ｗｉｄｅ方向への電子ズーム動作を行わせる。そして、Ｓ１１１６にて、現在の電子ズーム位置が電子Ｗｉｄｅ端に到達したか否かを判断し、まだ到達していない場合は、次回以降のルーチンでのＳ１１１６で到達が判断されるまで、Ｗｉｄｅ方向への電子ズーム動作を行わせる。一方、到達した場合は、Ｓ１１１７に進み、電子ズーム使用フラグをＦＡＬＳＥにするとともに、電子ズーム動作を停止させ、さらにＳ１１０８に移って、Ｗｉｄｅ方向への光学ズーム動作を行わせる。
【００６８】
キャンセルズーム動作は、図１２のフローチャートに従って行われる。まず、Ｓ１２０１では、マイコン１１２は、後述するキャンセル実行フラグによりキャンセルズーム動作の実行中か否かを判断し、すでに実行中であればＳ１２０４に進む。実行中でなければＳ１２０２へ進み、プリセット実行スイッチ１２０２の解除操作（キャンセル実行操作）が行われたか否かを判断する。
【００６９】
キャンセル実行操作が行われていない場合は、該処理（Ｓ１１２３）を終了し、一定時間後に再び該処理Ｓ１１２３を開始する。
【００７０】
Ｓ１２０１でキャンセルズーム実行中と判断した場合は、キャンセル実行フラグをＴＲＵＥに変更して現在キャンセルズーム動作が実行中であることを示し、次のＳ１２０４の処理へ移る。
【００７１】
Ｓ１２０４では、マイコン１１２は、ズーム操作部１１８においてズーム操作がされているか否かを判断する。ズーム操作がされている場合は、キャンセルズーム動作よりもユーザによるズーム操作を優先するために、Ｓ１２０５でプリセット実行フラグをＦＡＬＳＥにし、該処理（Ｓ１１２３）を終了する。
【００７２】
Ｓ１２０４にてズーム操作がなかった場合は、Ｓ１２０６に進み、電子ズーム使用フラグにより現在のズーム位置が電子ズーム領域であるか否かを判断する。電子ズーム領域であればＳ１２１４に移る。一方、電子ズーム領域でない（光学ズーム領域である）場合は、Ｓ１２０７へ移る。
【００７３】
Ｓ１２０７では、キャンセル位置が光学ズーム領域か否かを判断する。キャンセル位置が電子ズーム領域内である場合はＳ１２１１へ進む。一方、光学ズーム領域である場合は、Ｓ１２０８へ進み、キャンセル位置と現在のズーム位置とを比較し、キャンセル位置の方がよりＴｅｌｅ側であれば、ズームレンズ駆動部１１５およびフォーカスレンズ駆動部１１５を連動させてＴｅｌｅ側への光学ズームを行わせる。また、キャンセル位置の方がよりＷｉｄｅ側であれば、同様にしてＷｉｄｅ側への光学ズームを行わせる。このとき、速度選択ボリュウム１００３により設定された略一定のズーム速度でズーム動作を行わせる。また、速度選択ボリュウム１００３が設けられていない場合には、所定のズーム速度でズーム動作を行わせてもよい。
【００７４】
Ｓ１２０９では、キャンセル位置と現在の光学ズーム位置とを比較し、同じ値になっていればＳ１２１０にてプリセット実行フラグをＦＡＬＳＥにし、ズーム動作を停止させて該処理（Ｓ１１２３）を終了する。
【００７５】
一方、Ｓ１２１１では、Ｔｅｌｅ側への光学ズーム動作を行わせ、Ｓ１２１２にて光学ズーム位置が光学Ｔｅｌｅ端（光学ズームの限界位置）に達したか否かを判断する。光学Ｔｅｌｅ端に達しない場合は、一旦本処理（Ｓ１１２３）を終了し、次の処理（Ｓ１１２３）の開始時間まで待つ。光学Ｔｅｌｅ端に達した場合は、Ｓ１２１３に進み、電子ズーム使用フラグをＴＲＵＥに変更して、Ｓ１２１８での電子ズーム動作へと移行する。
【００７６】
Ｓ１２１４では、キャンセル位置が電子ズーム領域か否かを判断する。電子ズーム領域であれば、Ｓ１２１８に進み、電子ズーム領域でなければＳ１２１５に進む。Ｓ１２１８では、プリセット位置の方向に、速度選択ボリュウム１００３で設定されたズーム速度で電子ズームを行う。そして、Ｓ１２１９にて、キャンセル位置と現在のズーム位置（電子ズーム位置）とが同じになったか否かを判別し、同じである場合にはＳ１２２０にて、電子ズーム動作を停止させ。プリセット実行フラグをＦＡＬＳＥにし、該処理（Ｓ１１２３）を終了する。
【００７７】
一方、Ｓ１２１５では、Ｗｉｄｅ側への電子ズームを速度選択ボリュウム１００３で設定されたズーム速度で行わせる。そして、Ｓ１２１６にて、電子ズーム位置が電子Ｗｉｄｅ端に到達したか否かを判断し、達していない場合は、次回のルーチンでＳ１２１６を再度実行し、電子Ｗｉｄｅ端に到達するまでＷｉｄｅ側への電子ズームを行う。
【００７８】
また、電子ズーム位置が電子Ｗｉｄｅ端に到達した場合は、Ｓ１２１７に進んで電子ズーム使用フラグをＦＡＬＳＥにし、電子ズーム動作を停止させ、Ｓ１２０８に移ってプリセット位置までＷｉｄｅ側への光学ズームを行う。
【００７９】
以上説明した処理（Ｓ１１２３）を一定間隔で繰り返すことにより、電子ズームと光学ズームにまたがるシャトルショットズーム動作、すなわち光学ズーム領域と電子ズーム領域のうち一方の領域の現在ズーム位置（キャンセル位置）と他方の領域のプリセット位置との間での往復ズーム動作が可能となる。
【００８０】
なお、この図１２のフローチャートは、実施例１の図３に示したフローチャート中の「プリセット」を「キャンセル」に読み替えたものに相当する。したがって、各ズーム領域での具体的な処理の流れも図３に関して説明したものと同様である。
【００８１】
また、本実施例では、ズーム位置がプリセット位置に到達した上でシャトルショット実行スイッチの操作が解除されることによりキャンセルズーム動作が開始される場合について説明したが、ズーム位置がプリセット位置に到達する前に（すなわち、往路プリセットズーム動作の途中で）シャトルショット実行スイッチの操作が解除された場合に、そのズーム位置からキャンセルズーム動作が開始されるようにしてもよい。
【００８２】
また、本実施例では、光学ズーム領域と電子ズーム領域とがオーバーラップせず、ズーム位置はどちらか一方にのみ属する構成としているが、光学ズーム領域と電子ズーム領域とがオーバーラップする領域を設けてもよい。これについては後述する。
【実施例３】
【００８３】
次に、本発明の実施例３として、レンズ交換型のビデオカメラにおける光学ズーム領域および電子ズーム領域にまたがるプリセットズーム動作およびシャトルショットズーム動作について、図１４を用いて説明する。
【００８４】
この撮影システムを構成する交換レンズの撮影光学系は、いわゆるリアフォーカス式のズーム光学系である。光学系に入射した被写体ＯＢＪからの光は、固定の第１レンズ１４０２、変倍を行う第２レンズ（バリエータレンズ）１４０３、光量調節を行うアイリス１４０４、固定の第３レンズ１４０５、フォーカシングを行う第４レンズ（フォーカスレンズ）１４０６を通り、さらに該交換レンズとビデオカメラ本体とのマウント部分を通って、ＣＣＤセンサやＣＭＯＳセンサ等の撮像素子１４０７上に結像する。
【００８５】
一方、カメラ本体側の撮像素子１４０７による光電変換動作により生成された電気信号は、カメラ信号処理回路１４０８に送られ、信号増幅などの信号処理が施されてアナログ映像信号となり、さらにＡ／Ｄ変換器１４０９によってデジタル映像信号に変換される。デジタル映像信号は、メモリ１４１０へ送られて一時的に保存される。
【００８６】
電子ズーム回路１４１１は、カメラマイクロコンピュータ（以下、カメラマイコンという）１４１１からのズーム倍率信号に基づいて、メモリ１４１０に保存したデジタル映像信号のズーム処理を行う。電子ズーム回路１４１１は、１以上の倍率を得るために、メモリ１４１０上の画像信号を間引いて、その間の画像信号を様々な方法によって補間することによってズーム処理を行う。このようなズーム処理を、時間的にスムーズに変倍率を変化させて行うことでズームアップやズームダウンした動画像を得ることができる。
【００８７】
電子ズーム回路１４１０で適切な倍率の映像に処理されたメモリ１４１０上の映像信号は、その後、色補正、フォワイトバランスなどの処理が行われ、記録媒体（半導体メモリ、光ディスク、磁気テープ等）やパーソナルコンピュータ、テレビモニタ等の外部装置に出力される。
【００８８】
また、レンズマイクロコンピュータ（以下、レンズマイコンという）１４１３は、ズーム量（変倍率）を変更するために操作されるズーム操作部１４１９から出力されたズーム命令信号を読み取る。
【００８９】
ここで、レンズマイコン１４１３が光学ズーム制御を行う場合について説明する。本実施例のようなリアフォーカス式の光学系では、実施例１でも説明したように、ズームレンズ１４０２の位置を変えただけでは、ピントがずれてしまう。このため、レンズマイコン１４１３は、ズームレンズ位置検知器１４１６と、フォーカスレンズ位置検出器１４１７とによってバリエータレンズ１４０２とフォーカスレンズ１４０５の位置を検知して、ズーム命令がズーム操作部１４１９から出力されたときに図４に示すようなレンズ位置関係になるように、ズームレンズ１４０２とフォーカスレンズ１４０５をそれぞれズームレンズ駆動部１４１６とフォーカスレンズ駆動部１４１５を介して移動させる。
【００９０】
また、レンズ側には、ズーム補助機能としてのメモリズーム機能の１つであるプリセットズーム機能の専用操作部材として、プリセットズーム操作部又はシャトルショットズーム操作部１４１８が設けられている。この操作部１４１８の構成は、実施例１において図２に示したものと同様である。
本実施例の撮影システムにおいては、バリエータレンズ１４０２およびフォーカスレンズ１４０５を連動させて移動させることによる光学ズームと、映像信号に対する画像処理によってズームを行う電子ズームとを行うことができる。より具体的には、低倍率域でのズームを光学ズームにより行い、光学ズームによる変倍動作が限界（ｔｅｌｅ端）になった後、より望遠側に電子ズームによるズームを行う。
【００９１】
なお、本実施例では、光学ズーム領域と電子ズーム領域とがオーバーラップせず、ズーム位置はどちらか一方にのみ属する構成としている。但し、光学ズーム領域と電子ズーム領域間での移行を滑らに行う（両ズーム領域の継ぎ目が目立たないようにする）ために、光学ズーム領域と電子ズーム領域とがオーバーラップする領域を設けてもよい。これについては後述する。
【００９２】
そして、本実施例でも、実施例１および実施例２にて説明したのと同様に、光学ズーム領域と電子ズーム領域とにまたがるプリセットズーム動作およびシャトルショットズーム動作が可能である。これらプリセットズーム動作およびシャトルショットズーム動作の具体的な処理は、実施例１，２で説明したのと基本的に同じであり、本実施例では、レンズマイコン１４１３がズーム制御手段として機能し、カメラマイコン１４１１はレンズマイコン１４１３から受けた電子ズーム命令に応じて電子ズーム回路１４１０に電子ズームを行わせる。
【００９３】
ここでは、レンズマイコン１４１３とカメラマイコン１４１１間の通信処理についてのみ説明する。まず、カメラマイコン１４１１の動作フローチャートを図１５に示す。
【００９４】
Ｓ１５０１では、カメラマイコン１４１１はレンズマイコン１４１３と通信を行い、この中で、レンズマイコン１４１３からの電子ズーム命令を受け取る。そして、Ｓ１５０２では、電子ズーム命令を受けたか否かを判断する。電子ズーム命令を受けた場合には、Ｓ１５０３において電子ズームを行う。そして、Ｓ１５０４に移る。
【００９５】
また、Ｓ１５０２で電子ズーム命令を受けていない場合は、Ｓ１５０４に移る。Ｓ１５０４では、次のレンズマイコン１４１３との通信のために、現在の電子ズーム情報（電子ズーム倍率等の電子ズーム位置を示す情報）を送信データにセットする。そして、該処理（Ｓ１５００）を終了する。この処理（Ｓ１５００）は、一定時間ごとに行われ、レンズマイコン１４１３とカメラマイコン１４１１間で情報が交換される。
【００９６】
次に、レンズマイコン１４１３の動作フローチャートを図１６に示す。Ｓ１６０１では、レンズマイコン１４１３は、カメラマイコン１４１１と通信し、カメラマイコン１４１１から電子ズーム情報などを受け取り、またカメラマイコン１４１１に電子ズーム命令や電子ズーム制御データ（ズーム速度やズーム方向などのデータ）を送る。そして、実施例１において図３を用いて説明したプリセットズーム動作サブルーチンＳ３００を呼び出し、プリセットズーム動作の処理を行う。そして、該処理に基づいて、Ｓ１６０２において、次回の通信でカメラマイコン１４１１に送信する電子ズーム命令と電子ズーム用制御データを送信データにセットする。
【００９７】
また、図１６の動作フローチャートを図１７に示す動作フローチャートに置き換えることにより、シャトルショットズーム動作を行うことができる。具体的には、図１６中のＳ３００を、実施例２において図１１，１２を用いて説明したＳ１１００に置き換える。
【００９８】
以上説明したように、本実施例によれば、レンズ交換式撮影システムにおいて、光学ズーム領域および電子ズーム領域にまたがるプリセットズーム動作およびシャトルショットズーム動作を実現することができる。
【実施例４】
【００９９】
実施例３では、レンズ側にプリセットズーム操作部又はシャトルショットズーム操作部を設けるとともに、レンズマイコンによってプリセットズーム動作又はシャトルショットズーム動作の主たる制御を行う場合について説明したが、本発明の実施例４では、図１８に示すように、カメラ本体側にプリセットズーム操作部又はシャトルショットズーム操作部１８１８を設けるとともに、カメラマイコン１８１１によってプリセットズーム動作又はシャトルショットズーム動作の主たる制御を行う。
【０１００】
なお、本実施例の撮影システムの構成は、プリセットズーム操作部又はシャトルショットズーム操作部１８１８をカメラ本体側に設けた点以外は、実施例３と同様であり、共通する構成要素には、実施例３中の１４００番台の符号における下二桁を同じとした１８００番台の符号で示している。
【０１０１】
また、本実施例でも、光学ズーム領域と電子ズーム領域とがオーバーラップせず、ズーム位置はどちらか一方にのみ属する構成としているが、光学ズーム領域と電子ズーム領域とがオーバーラップする領域を設けてもよい。これについては後述する。
【０１０２】
そして、本実施例でも、実施例３にて説明したのと同様に、光学ズーム領域と電子ズーム領域とにまたがるプリセットズーム動作およびシャトルショットズーム動作が可能である。これらプリセットズーム動作およびシャトルショットズーム動作の具体的な処理は、実施例１，２で説明したのと基本的に同じであり、本実施例では、カメラマイコン１８１１がズーム制御手段として機能し、レンズマイコン１８１３はカメラマイコン１８１１から受けた光学ズーム命令に応じて、ズームレンズ駆動部１８１６およびフォーカスレンズ駆動部１８１５を介して光学ズームを行わせる。
【０１０３】
ここでは、カメラマイコン１８１１とレンズマイコン１８１３間の通信処理についてのみ説明する。まず、カメラマイコン１８１１の動作フローチャートを図１９に示す。
【０１０４】
まず、Ｓ１９０１では、カメラマイコン１８１１は、レンズマイコン１８１３と通信し、レンズ側の光学ズーム情報などを受け取る。また、カメラマイコン１８１１は、レンズマイコン１８１３に対して、光学ズーム命令や光学ズーム用制御データ（ズーム速度やズーム方向などのデータ）を送る。そして、実施例１の図３で説明したプリセットズーム動作サブルーチンＳ３００を呼び出し、プリセットズーム動作に必要な処理を行う。そして、該処理に基づいて、Ｓ１９０２において、次回の通信でレンズマイコン１８１１に送信する光学ズーム命令や光学ズーム制御データを送信データにセットする。
【０１０５】
次に、レンズマイコン１８１１の動作フローチャートを図２０に示す。まず、Ｓ２００１にて、レンズマイコン１８１１はカメラマイコン１８１３と通信を行い、この中で、光学ズーム命令を受け取る。そして、Ｓ２００２で、光学ズーム命令を受け取ったか否かを判断し、受け取った場合には、Ｓ２００３にて、該命令に応じて光学ズームを行う。そして、Ｓ２００４に移る。
【０１０６】
一方、Ｓ２００２で光学ズーム命令を受け取っていない場合はＳ２００４に移る。Ｓ２００４では、次のカメラマイコン１８１３との通信のために、現在の光学ズーム情報を送信データにセットする。そして、処理を終了する。Ｓ２０００の処理は、一定時間ごとに行われ、レンズマイコン１８１１とカメラマイコン１８１３との間で情報が交換される。
また、図１９の動作フローチャートを図２１に示す動作フローチャートに置き換えることにより、シャトルショットズーム動作を行うことができる。具体的には、図１９中のＳ３００を、実施例２において図１１，１２を用いて説明したＳ１１００に置き換える。
【０１０７】
以上説明したように、本実施例によれば、レンズ交換式撮影システムにおいて、光学ズーム領域および電子ズーム領域にまたがるプリセットズーム動作およびシャトルショットズーム動作を実現することができる。
【０１０８】
上記実施例３，４では、プリセットズーム又はシャトルショットズーム操作部を１つの操作部にまとめ、かつズーム操作部とともにレンズ側又はカメラ本体側に設けた場合について説明したが、これらをレンズ側とカメラ本体側に分けて設けてもよい。さらに、上記各実施例では、プリセットズーム又はシャトルショットズーム操作部をレンズ一体型カメラ、交換レンズ又はカメラ本体に一体的に設けた場合について説明したが、プリセットズーム又はシャトルショットズーム操作部を独立したコントロールユニットとしてレンズ一体側カメラ、交換レンズ又はカメラ本体に接続できるようにしてもよい。
【０１０９】
さらに上記各実施例では、互いにオーパーラップしていない光学ズーム領域および電子ズーム領域のうち一方の領域における任意のズーム位置から他方の領域にて記憶されたプリセット位置（又はキャンセル位置）にメモリズーム動作を行う場合について説明したが、光学ズーム領域と電子ズーム領域がオーバーラップしている場合にも本発明を適用することができる。
【実施例５】
【０１１０】
図２２には、光学ズーム領域と電子ズーム領域がオーバーラップしている本発明の実施例５である撮影システムのズーム範囲を示している。この図は、例として、現在ズーム位置（ひし型印で示す）が光学ズーム領域にあり、プリセット位置（丸印で示す）が光学ズーム領域と電子ズーム領域がオーバーラップしているオーバーラップ領域、言い換えれば電子ズーム領域にある場合を示している。図示しないが、現在ズーム位置が電子ズーム領域であって、プリセット位置がオーバーラップ領域（言い換えれば、光学ズーム領域）であってもよい。
【０１１１】
このようにオーバーラップ領域でもプリセット位置を記憶することができるようにすれば、撮影システムの使い勝手がさらに向上する。
【図面の簡単な説明】
【０１１２】
【図１】本発明の実施例１のレンズ一体型ビデオカメラ（撮影システム）の構成を示すブロック図。
【図２】実施例１のプリセットズーム操作部の構成を示す図。
【図３】実施例１のプリセットズーム動作の処理を示すフローチャート。
【図４】インナーフォーカス方式ズームレンズにおけるレンズ位置の関係を示す図。
【図５】実施例１における光学ズーム領域から電子ズーム領域へのプリセットズーム動作を説明する図。
【図６】実施例１における電子ズーム領域から光学ズーム領域へのプリセットズーム動作を説明する図。
【図７】実施例１における電子ズーム無効処理の動作を説明する図。
【図８】実施例１における電子ズーム無効処理を示すフローチャート。
【図９】実施例１におけるプリセット位置の記憶処理を示すフローチャート。
【図１０】本発明の実施例２におけるシャトルショットズーム操作部の構成を示す図。
【図１１】実施例２のシャトルショットズーム動作の処理を示すフローチャート。
【図１２】実施例２のシャトルショットズーム動作の処理を示すフローチャート。
【図１３】実施例２のシャトルショットズーム動作の処理を示すフローチャート。
【図１４】本発明の実施例３であるレンズ交換式ビデオカメラ（撮影システム）の構成を示すブロック図。
【図１５】実施例３のカメラ本体側の動作を示すフローチャート。
【図１６】実施例３のレンズ側の動作を示すフローチャート。
【図１７】実施例３のレンズ側の動作を示すフローチャート。
【図１８】本発明の実施例４であるレンズ交換式ビデオカメラ（撮影システム）の構成を示すブロック図。
【図１９】実施例４におけるカメラ側の動作を示すフローチャート。
【図２０】実施例４におけるレンズ側の動作を示すフローチャート。
【図２１】実施例４におけるカメラ側の動作を示すフローチャート。
【図２２】本発明の実施例５における撮影システムのズーム範囲を示す図。
【符号の説明】
【０１１３】
１０３，１４０２，１８０２  ズームレンズ
１０６，１４０５，１８０５  フォーカスレンズ
１０７，１４０６，１８０６  撮像素子
１１２  マイクロコンピュータ
２０１  ズーム位置メモリ
２０２  プリセット実行スイッチ
２０３，１００３  速度選択ボリュウム
１００１  シャトルショット位置メモリ
１００２  シャトルショット実行スイッチ
１４１１，１８１１  レンズマイクロコンピュータ
１４１３，１８１３  カメラマイクロコンピュータ
【図１】
2006050019.tif 000003
【図２】
2006050019.tif 000004
【図３】
2006050019.tif 000005
【図４】
2006050019.tif 000006
【図５】
2006050019.tif 000007
【図６】
2006050019.tif 000008
【図７】
2006050019.tif 000009
【図８】
2006050019.tif 000010
【図９】
2006050019.tif 000011
【図１０】
2006050019.tif 000012
【図１１】
2006050019.tif 000013
【図１２】
2006050019.tif 000014
【図１３】
2006050019.tif 000015
【図１４】
2006050019.tif 000016
【図１５】
2006050019.tif 000017
【図１６】
2006050019.tif 000018
【図１７】
2006050019.tif 000019
【図１８】
2006050019.tif 000020
【図１９】
2006050019.tif 000021
【図２０】
2006050019.tif 000022
【図２１】
2006050019.tif 000023
【図２２】
2006050019.tif 000024